(57)【要約】【課題】固体撮像素子をシールドパイプ内の適正ピント位置に固着する組み立て作業の際に信号ケーブルの心線が断線する可能性の低い電子内視鏡の撮像素子と信号ケーブルの接続方法を提供すること。【解決手段】信号ケーブル１０の心線１０ａを固体撮像素子５の裏側に配置された端子５ａに接合した後、固体撮像素子５とシールド１０ｂとの間の範囲に接着剤２０を充填してから、固体撮像素子５をシールドパイプ６内の適正ピント位置に固着し、それからシールドパイプ６の後端部分に信号ケーブル１０のシールド１０ｂを接合するようにした。【選択図】      図１
2004159970.tif 000002
【特許請求の範囲】
【請求項１】
複数の心線の周囲をシールドで囲んだシールド線からなる信号ケーブルの上記心線を固体撮像素子の裏側に配置された端子に接合した後、上記固体撮像素子を金属製のシールドパイプ内の適正ピント位置に固着し、それから上記シールドパイプの後端部分に上記信号ケーブルのシールドを接合するようにした電子内視鏡の撮像素子と信号ケーブルの接続方法において、
上記信号ケーブルの心線を上記固体撮像素子の裏側に配置された端子に接合した後、上記固体撮像素子と上記シールドとの間の範囲に接着剤を充填してから、上記固体撮像素子を上記シールドパイプ内の適正ピント位置に固着し、それから上記シールドパイプの後端部分に上記信号ケーブルのシールドを接合するようにしたことを特徴とする電子内視鏡の撮像素子と信号ケーブルの接続方法。
【請求項２】
上記固体撮像素子と上記信号ケーブルとの間の範囲に上記接着剤を充填する際に、上記信号ケーブルの先端部分から側方に上記シールドを延出させておくようにした請求項１記載の電子内視鏡の撮像素子と信号ケーブルの接続方法。
【請求項３】
上記シールドパイプの後端に、上記シールドの延出部分を係合させるための切り欠きが形成されている請求項２記載の電子内視鏡の撮像素子と信号ケーブルの接続方法。
【発明の詳細な説明】
【０００１】
【発明の属する技術分野】
この発明は、電子内視鏡の挿入部の先端に内蔵される固体撮像素子に対して信号ケーブルを接続する際の電子内視鏡の撮像素子と信号ケーブルの接続方法に関する。
【０００２】
【従来の技術】
一般に電子内視鏡においては、固体撮像素子が、対物光学系との位置関係（ピント出し）を正確に調整した状態で金属製のシールドパイプ内に固着され、信号ケーブルが固体撮像素子の裏面に配置された端子に後方から接合されている。
【０００３】
そのような部分を組み立てる際には、固体撮像素子をシールドパイプ内に固着してからでは信号ケーブルの心線を固体撮像素子の端子に接合することができない。かといって、信号ケーブルのシールドをシールドパイプに接合してからでは、シールドパイプ内において固体撮像素子のピント出しを正確に調整することができない。
【０００４】
したがって、信号ケーブルの心線を固体撮像素子の裏面端子に接合した後、固体撮像素子をシールドパイプ内の適正ピント位置に固着し、それからシールドパイプの後端部分に信号ケーブルのシールドを接合する手順が採られる。
【０００５】
そこで、まず、シールドパイプ内に固体撮像素子を組み付ける作業中に心線と端子との接合部が破壊されないようにするために、図４に示されるように、信号ケーブル１０の心線１０ａを固体撮像素子５の裏面に配置された端子５ａに半田付け等で接合したら、その接合部の周囲を接着剤２０でモールディングして接合箇所の補強をしている。
【０００６】
そして、固体撮像素子５をシールドパイプ６内の適正ピント位置に固着してから、信号ケーブル１０のシールド１０ｂを少し引き出してシールドパイプ６に半田付け等により接合し、シールドパイプ６内の空間にさらに接着剤を充填して、心線１０ａが外力によって破損しないように補強している（例えば、特許文献１）。
【０００７】
【特許文献１】
特開平１１−４７０８４号公報
【０００８】
【発明が解決しようとする課題】
しかし、上述のような従来の方法では、固体撮像素子５をシールドパイプ６内の適正ピント位置に固着する作業の際には、図４に示されるように、先端が固体撮像素子５の端子５ａに接合されている心線１０ａに外力が直接作用する状態なので、固体撮像素子５をピント調整のために光軸方向（即ち信号ケーブル１０の軸線方向）に細かく動かす動作を繰り返す作業によって心線１０ａが破損して断線してしまう場合があった。
【０００９】
そこで本発明は、固体撮像素子をシールドパイプ内の適正ピント位置に固着する組み立て作業の際に信号ケーブルの心線が断線する可能性の低い電子内視鏡の撮像素子と信号ケーブルの接続方法を提供することを目的とする。
【００１０】
【課題を解決するための手段】
上記の目的を達成するため、本発明の電子内視鏡の撮像素子と信号ケーブルの接続方法は、複数の心線の周囲をシールドで囲んだシールド線からなる信号ケーブルの心線を固体撮像素子の裏側に配置された端子に接合した後、固体撮像素子を金属製のシールドパイプ内の適正ピント位置に固着し、それからシールドパイプの後端部分に信号ケーブルのシールドを接合するようにした電子内視鏡の撮像素子と信号ケーブルの接続方法において、信号ケーブルの心線を固体撮像素子の裏側に配置された端子に接合した後、固体撮像素子とシールドとの間の範囲に接着剤を充填してから、固体撮像素子をシールドパイプ内の適正ピント位置に固着し、それからシールドパイプの後端部分に信号ケーブルのシールドを接合するようにしたものである。
【００１１】
なお、固体撮像素子と信号ケーブルとの間の範囲に接着剤を充填する際に、信号ケーブルの先端部分から側方にシールドを延出させておくようにしてもよく、その場合には、シールドパイプの後端に、シールドの延出部分を係合させるための切り欠きが形成されているとよい。
【００１２】
【発明の実施の形態】
図面を参照して本発明の実施例を説明する。
図１において、１０は、固体撮像素子５から出力される撮像信号等を伝送するための信号ケーブルであり、複数の心線１０ａの周囲を金属製の網管状のシールド１０ｂで囲んだシールド線が用いられている。
【００１３】
そして本発明の電子内視鏡の撮像素子と信号ケーブルの接続方法においては、先ず、各心線１０ａを固体撮像素子５の裏面に配置された端子５ａに半田付け等によって接合したら、電気絶縁性の接着剤２０を固体撮像素子５とシールド１０ｂとの間の範囲に隙間なく充填して硬化させる。この実施例においては、接着剤２０は信号ケーブル１０のシールド１０ｂ部分を被覆してさらに外皮１０ｃの外面まで達している。
【００１４】
そのような接着剤２０の充填作業の際には、接着剤２０の外径寸法が金属製のシールドパイプ６の内径寸法以上にならないように、四フッ化エチレン樹脂パイプ等からなるモールド型内で接着剤２０を硬化させるとよい。
【００１５】
そして、接着剤２０の充填作業（即ち、モールディング作業）の際には、信号ケーブル１０の先端部分からシールド１０ｂを少し側方に引き出して（引き出し部１０ｄ）延出させておき、その状態で矢印Ａで示されるように、モールディングされた状態の接着剤２０等と共に固体撮像素子５をシールドパイプ６内に嵌挿してピント調整作業を行い、固体撮像素子５をシールドパイプ６内の適正ピント位置に接着固定する。
【００１６】
その際、固体撮像素子５をピント調整のために光軸方向（即ち信号ケーブル１０の軸線方向）に細かく動かす動作を繰り返す作業が行われるが、接着剤２０が固体撮像素子５の裏面から信号ケーブル１０のシールド１０ｂと外皮１０ｃ部分まで充填されてその範囲が一体化された状態になっているので、各心線１０ａには外力が直接作用せず、心線１０ａを断線させるような破損はほとんど発生しない。
【００１７】
なお、シールドパイプ６には信号ケーブル１０の先端部分から側方に引き出されたシールド１０ｂの引き出し部１０ｄを係合させるための切り欠き６ａが後端に形成されており、固体撮像素子５がシールドパイプ６の適正ピント位置に固着されたら、図２に示されるように、シールドパイプ６の切り欠き６ａに係合させた引き出し部１０ｄをその位置でシールドパイプ６に半田付け等により接合固着する。
【００１８】
図３は、本発明の撮像素子と信号ケーブルの接続方法が採られた電子内視鏡の先端部分の一例を示しており、対物レンズ３を保持する対物レンズ筒４が、挿入部１の先端に連結された先端部本体２内に内蔵され、その対物レンズ３による被写体の適正ピント位置に固体撮像素子５の撮像面が配置されている。
【００１９】
固体撮像素子５と信号ケーブル１０とそれらを保持するシールドパイプ６との組み立て方法には本発明が採用されており、シールドパイプ６の内外両面には、極薄の電気絶縁性テープ７が巻き付けられている。
【００２０】
【発明の効果】
本発明によれば、信号ケーブルの心線を固体撮像素子の裏側に配置された端子に接合した後、固体撮像素子とシールドとの間の範囲に接着剤を充填してから、固体撮像素子をシールドパイプ内の適正ピント位置に固着するようにしたことにより、固体撮像素子をシールドパイプ内の適正ピント位置に固着する組み立て作業の際には、接着剤が固体撮像素子の裏側から信号ケーブルのシールド部分までモールディングされてその範囲が一体化された状態になっていて、信号ケーブルの各心線には外力が直接作用しないので、心線が断線するような破損が発生しない。
【図面の簡単な説明】
【図１】本発明の実施例の電子内視鏡の撮像素子と信号ケーブルの接続方法の前半の工程を示す側面断面図である。
【図２】本発明の実施例の電子内視鏡の撮像素子と信号ケーブルの接続方法の後半の工程を示す正面図である。
【図３】本発明が採用された電子内視鏡の先端部分の一例を示す側面断面図である。
【図４】従来の電子内視鏡の撮像素子と信号ケーブルの接続方法の前半の工程を示す側面断面図である。
【符号の説明】
５  固体撮像素子
５ａ  端子
６  シールドパイプ
６ａ  切り欠き
１０  信号ケーブル
１０ａ  心線
１０ｂ  シールド
１０ｃ  外皮
１０ｄ  引き出し部
２０  接着剤
【図１】
2004159970.tif 000003
【図２】
2004159970.tif 000004
【図３】
2004159970.tif 000005
【図４】
2004159970.tif 000006